(57)【要約】      （修正有）【課題】ペン先がインクを持続的に供給可能なガラスペンを提供する。【解決手段】ガラスペンは、胴軸、インクチューブカートリッジ２、連通部３、及びガラス製ペン先４で構成される。インクチューブカートリッジは連通部に接合され、連通部及びガラス製ペン先が植設されて結合される。ガラス製ペン先は中実の本体であり、複数本に分かれたガラスが捻れるように成形され、本体の外表面には隣接して分布する複数の渦巻切割り４１が形成され、ガラス製ペン先の一端は絞られるように捻じれて複数本の溝が集中するペン先のヘッド部４２が形成され、他端は引き伸ばされるように延伸する細長い一本のペン先の末端部４３であり、ペン先の末端部は連通部を貫通させるスルーホールに適合する。インクチューブカートリッジ内のインク２１の表面に触れて表面張力を突き破ると、インクが渦巻切割りに導入されてペン先のヘッド部に集中し、スムーズな筆記機能を提供する。【選択図】図６
0003218808.tif 000002
【実用新案登録請求の範囲】
【請求項１】
インクチューブカートリッジ、連通部及びガラス製ペン先のペンチューブが配置されるように収容される胴軸と、
インクが保存される収容部材であるインクチューブカートリッジと、
インクチューブカートリッジ及びガラス製ペン先に連通させるように緊密に接合される中空体である連通部であって、前記連通部と前記インクチューブカートリッジとの接合端にはスルーホールを有し、前記インクチューブカートリッジに緊密に接合され、前記連通部と前記ガラス製ペン先との接合端はガラス製ペン先が嵌め込まれる収容空間であることと、
中実の本体であり、複数本に分かれたガラスが捻れるように成形され、本体の外表面には隣接して分布される複数の渦巻切割りが形成され、且つ一端には絞られるように捻じれて複数本の溝が細くなる先端に集中するペン先のヘッド部が形成され、他端は引き伸ばされるように延伸される細長いペン先の末端部であり、且つ前記細長いペン先の末端部は前記連通部を貫通させるスルーホールに適合するガラス製ペン先とを備え、
前記胴軸、インクチューブカートリッジ、連通部、及びガラス製ペン先で構成される前記ペン先がインクを持続的に供給可能なガラスペンは、前記細長いガラス製ペン先が前記連通部に丁度良く嵌め込まれると共に前記スルーホールを貫通させ、且つ前記インクチューブカートリッジ内のインクの表面に触れて表面張力を突き破ると、インクが前記複数の渦巻切割りに導入された後に前記ペン先のヘッド部に集中し、自動的にインクが持続的に供給されて筆記可能になることを特徴とするペン先がインクを持続的に供給可能なガラスペン。
【請求項２】
前記インクチューブカートリッジは単回インク保存機能を有する収容部材であることを特徴とする請求項１に記載のペン先がインクを持続的に供給可能なガラスペン。
【請求項３】
前記インクチューブカートリッジは反復インク吸い上げ機能を有する収容部材であることを特徴とする請求項１に記載のペン先がインクを持続的に供給可能なガラスペン。
【請求項４】
前記ガラス製ペン先は水滴状または紡錘状を呈する中実の本体であることを特徴とする請求項１に記載のペン先がインクを持続的に供給可能なガラスペン。
【請求項５】
前記ガラス製ペン先のペン先の末端部は引き伸ばされるように延伸される一本の細長い形状を呈することを特徴とする請求項１に記載のペン先がインクを持続的に供給可能なガラスペン。
【請求項６】
前記ガラス製ペン先はソーダ石灰ガラスで成形製造されることを特徴とする請求項１に記載のペン先がインクを持続的に供給可能なガラスペン。
【考案の詳細な説明】
【技術分野】
【０００１】
本考案は、ガラス製ペン先を有するペンの技術分野に関し、更に詳しくは、ペン先がインクを持続的に供給可能なガラスペンの改良であり、特にインクチューブのインクの表面張力を突き破ってスムーズにインクの自動供給を達成させ、滑らかな筆記機能を提供するペン先がインクを持続的に供給可能なガラスペンに関する。
【背景技術】
【０００２】
従来のガラス製ペン先で構成されるペンは、従来の特許文献１では、例えば、改良式ディップペンこと考案が記載されている。収容空間を有するペン本体を備え、任意でインクチューブカートリッジを収容空間に収納でき、且つ金属製またはガラス製のハードタイプのペン先が任意で組み合わせられて２種類の異なる筆記方式を提供する。金属製のハードタイプのペン先が選択される場合、ペン先が連通部に接合され、インクチューブカートリッジのインクが連通部を通過させて金属製のハードタイプのペン先の溝に流れることによって筆記機能を提供する。ガラス製のハードタイプのペン先が選択される場合、先ずペン本体内のインクチューブカートリッジを取り出し、露出されたインクチューブカートリッジを利用してガラス製のハードタイプのペン先をインクに直接浸けることでガラス製のハードタイプのペン先で書けるようになる。すなわち、上述の改良式ディップペンは、ガラス製のハードタイプのペン先が選択される場合、インクに浸さなければ書くことができず、ディップペンをインクに浸すという最初の動作に戻らねばならない。実際には、前記ガラス製ペン先がインクの自動持続的供給機能を提供できない。
【０００３】
なお、特許文献２には複数の切割りガラスペンと記載され、ガラスペン本体２０及び複数の切割りペン先１０が係合されることにより構成される。前記複数の切割りペン先１０は複数の切割り通路１１０が相互に緊密に貼り合わされることで形成される。複数の切割り通路１１０の末端が細くまとまっていくことによりインク出口が形成され、複数の切割りペン先１０の中央部には円環形を呈する固定リング１２０が凹設され、ガラスペン本体２０に対応する係合リング２１０が相互に固定される（図１参照）。
【先行技術文献】
【特許文献】
【０００４】
【特許文献１】台湾登録実用新案第５２６５００号公報
【特許文献２】台湾登録実用新案第２４６０３０号公報
【特許文献３】台湾登録実用新案第２７８４４２号公報
【考案の概要】
【考案が解決しようとする課題】
【０００５】
しかしながら、前述した従来の技術では、すなわち、上述した特許文献２は、ペン先１０の後半段が全てガラスペン本体２０内のインクに浸されるため、インクが複数の切割り通路１１０から同時に導入される。また、複数の溝からインクが前記ペン先端のインク出口に導入されるため、インクの供給量が過多になり、正常な筆記機能を提供できなくなった。このほかにも、上述のガラスペン本体２０及びペン先１０が共に硬いガラス材で成形され、ペン先１０の中央部に内側に凹む固定リング１２０が設けられるが、ペン先１０の両端の直径はどちらも固定リング１２０より大きいため、硬いガラス材の制限のために固定リング１２０及び係合リング２１０を相互に固定させることができない。すなわち、ペン先１０をガラスペン本体２０に嵌め込む際に、互いにガラス材質を傷付けあってしまい、係合させて固定させることが難しく、その構造は非合理的で実用的ではなかった。
【０００６】
特許文献３は上述した特許文献２の追加出願案である。主にペン先３０に複数の中空状を呈する中空螺旋状通路３０１が内設され、インクが複数の中空螺旋状通路３０１を通過させて流出し、外部の切割り通路に付着しないため使用時に手や衣服が汚れない。但し、上述した特許文献３は、インクが表面張力の作用を有し、且つペン先３０の後半段が全てガラスペン本体２０内のインクに浸されるため、表面張力の作用によりインクが中空螺旋状通路３０１から流出せず、ペン先３０の体積が極めて限られ、前記中空螺旋状通路３０１の中空管径が非常に小さくなり、よって製造や実施が困難であった。インクを中空螺旋状通路３０１を通過させてスムーズに流出させることもできず、ペン先３０の出口端部からインクを集中させて導出させることも難しく、非合理的な設計であり、ガラス製ペン先からインクを持続的に供給させて筆記可能にするという問題を解決できなかった。
【０００７】
そこで、本考案者は上記の欠点が改善可能と考え、鋭意検討を重ねた結果、合理的設計で上記の課題を効果的に改善する本考案の提案に到った。
【０００８】
本考案は、このような従来の問題に鑑みてなされたものである。上記課題解決のため、本考案は、ペン先がインクを持続的に供給可能なガラスペンを提供することを主目的とする。
【０００９】
また、本考案の他の目的は、ペン先がインクを持続的に供給可能なガラスペンを提供する。すなわち、前記インクチューブカートリッジがインク吸い上げ機能を有するインク吸水器であり、インクを使い終わった後にインク吸水器を簡単に取り外すことができ、新たにインクを吸い上げて充填させ、再度装入して使用可能になる。
【００１０】
さらに、本考案のさらなる他の目的は、ペン先がインクを持続的に供給可能なガラスペンを提供する。すなわち、前記ガラス製ペン先はソーダ石灰ガラスで製造成形される。
【課題を解決するための手段】
【００１１】
上記課題を解決するために、本考案のある態様のペン先がインクを持続的に供給可能なガラスペンは、胴軸、インクチューブカートリッジ、連通部、及びガラス製ペン先で構成される。インクチューブカートリッジは連通部に接合され、連通部及びガラス製ペン先は植設されて結合される。前記ガラス製ペン先は中実の本体であり、複数本に分かれたガラスが捻れるように成形される。本体の外表面には隣接して分布される複数の渦巻切割りが形成され、且つガラス製ペン先の一端は絞られるように捻じれて複数本の溝が細くなる先端に集中するペン先のヘッド部が形成され、他端は引き伸ばされるように延伸される細長い一本のペン先の末端部であり、且つ前記細長い一本のペン先の末端部は連通部を貫通させるスルーホールに適合する。これにより、インクチューブカートリッジ内のインクの表面に触れて表面張力を突き破ると、インクが複数の渦巻切割りに導入されてからペン先のヘッド部に集中され、スムーズな筆記機能を提供する。
【図面の簡単な説明】
【００１２】
【図１】従来のガラスペンの組み合わせを示す概略図である。
【図２】従来のガラスペンの構成を示す概略図である。
【図３】図２の従来のガラスペンを示す横面断面図である。
【図４】本考案のペンを示す展開概略図である。
【図５】本考案のペンの組み合わせを示す概略図である。
【図６】本考案のペンの組み合わせを示す端面概略図である。
【図７】本考案のガラス製ペン先を示す斜視図である。
【図８】本考案のガラス製ペン先を示す正面図である。
【図９】本考案のガラス製ペン先を示す上面図である。
【図１０】本考案のガラス製ペン先を示す底面図である。
【図１１】本考案のガラス製ペン先を入れる前の状態を示す概略図である。
【図１２】本考案のガラス製ペン先を入れた状態を示す概略図である。
【図１３】本考案が筆記状態を提供する概略図である。
【考案を実施するための形態】
【００１３】
本考案の実施の形態を添付した図面に基づいて詳細に説明する。なお、本考案は、以下に説明する実施形態に限定されるものではない。
【実施例】
【００１４】
図４乃至図６は本考案の「ペン先がインクを持続的に供給可能なガラスペン」の好ましい実施例であり、胴軸１と、インクチューブカートリッジ２と、連通部３と、ガラス製ペン先４とを備える。各部材の説明は以下の通りである。
【００１５】
まず、胴軸１にはインクチューブカートリッジ２、連通部３、及びガラス製ペン先４のペンチューブが配置されるように収容され、その形状や材質に制限はない。
【００１６】
次は、インクチューブカートリッジ２は適量のインク２１が保存される収容部材であり、単回使用可能なインク保存機能を有する収容部材であり、インク２１が尽きた後には新しいインクチューブカートリッジ２に交換される。或いは、反復インク吸い上げ機能を有する収容部材（すなわち、インク吸水器と俗称される）が採用され、インク２１が尽きた後には前記インク吸い上げ収容部材（インク吸水器）を簡単に取り外すことができ、新しいインク２１を吸い上げて充填させ、再度装入して繰り返し使用可能になる。
【００１７】
次は、連通部３はインクチューブカートリッジ２及びガラス製ペン先４に連通させるように緊密に接合される中空体であり、前記連通部３とインクチューブカートリッジ２との接合端にはスルーホール３１を有し、インクチューブカートリッジ２に緊密に接合される。連通部３とガラス製ペン先４との接合端は収容空間３２であり、ガラス製ペン先４が嵌め込まれる。
【００１８】
ガラス製ペン先４（図７乃至図１０参照）は、水滴状または紡錘状を呈する中実の本体であり、複数本に分かれたガラスが捻れるように成形され、本体の外表面には隣接して分布される複数の渦巻切割り４１が形成される。また、前記ガラス製ペン先４の一端には絞られるように捻じれて複数本の溝が細くなる先端に集中するペン先のヘッド部４２が形成され、他端は引き伸ばされるように延伸される細長い一本のペン先の末端部４３であり、前記細長い一本のペン先の末端部４３は連通部３を貫通させるスルーホール３１に適合する（図１１及び図１２参照）。
【００１９】
上述の胴軸１、インクチューブカートリッジ２、連通部３、及びガラス製ペン先４で構成されるペン先がインクを持続的に供給可能なガラスペンは、細長い一本のガラス製ペン先４が連通部３に適合するように挿入されると共にスルーホール３１を貫通させ、且つインクチューブカートリッジ２内のインク２１の表面に触れて表面張力を突き破ると、インク２１が複数の渦巻切割り４１に導入された後、ペン先のヘッド部４２に集中され、スムーズな筆記機能を提供する（図１３参照）。よって、インクチューブカートリッジ２を取り出してインクに浸ける必要がなく、インクチューブカートリッジ２を何度も押してインクを断続的に供給させる必要もなく、インクの自動的持続供給効果を達成させる。
【００２０】
上述の本考案に係るペン先がインクを持続的に供給可能なガラスペンは、主にガラス製ペン先４が引き伸ばされるように延伸されて細長い一本のペン先の末端部４３が成形され、且つ前記細長い一本のペン先の末端部４３は連通部３を貫通させるスルーホール３に適合し、インクチューブカートリッジ２内にインク２１に触れるように差し込まれ、これによりインク２１の表面張力が突き破られ、インクの自動的持続供給機能を発生させる。この手段は明らかに有効的であり、且つ従来の同様のガラスペンに比べてこれまでにない新規の応用が可能である。特に、出願者が実際に実物を製造し、筆記機能のテストを繰り返し行った結果、インクが極めてスムーズに供給されるのみならず、非常に滑らかな書き心地を達成させ、卓越した効果を発揮した。
【００２１】
出願者の実施の結果、前記ガラス製ペン先４はソーダ石灰ガラスで製造成形されると更に優れた効果を発揮した。また、ソーダ石灰ガラスで成形されるガラス製ペン先４は鮮やかな透明感があり、インク２１が前記複数の渦巻切割り４１を通過させる際に発生させる屈折反応及び積層の変化は人々を魅了する幻想的な効果がある。必要に応じて、出願者は随時審査でこれを証明する。
【００２２】
本考案に係るペン先がインクを持続的に供給可能なガラスペンは必要に応じて１組以上のガラス製ペン先４が組み合わせられ、或いは金属製ペン先が増設される。使用者は需要に応じて様々なガラス製ペン先４や金属ペン先に任意で交換可能であり、ペンの応用の自由度が高まり、使用者の様々な筆記の要求を満足させることができる。
【００２３】
以上、本考案の実施形態について図面を参照して詳述したが、具体的な構成はこの実施形態に限られるものではなく、本考案の要旨を逸脱しない範囲の設計変更等も含まれる。
【符号の説明】
【００２４】
２０  ガラスペン本体
１０  切割りペン先
１１０  切割り通路
１２０  固定リング
２１０  係合リング
３０  ペン先
３０１  中空螺旋状通路
１  胴軸
２  インクチューブカートリッジ
３  連通部
４  ガラス製ペン先
２１  インク
３１  スルーホール
３２  収容空間
４１  渦巻切割り
４２  ペン先のヘッド部
４３  ペン先の末端部
【図１】
0003218808.tif 000003
【図２】
0003218808.tif 000004
【図３】
0003218808.tif 000005
【図４】
0003218808.tif 000006
【図５】
0003218808.tif 000007
【図６】
0003218808.tif 000008
【図７】
0003218808.tif 000009
【図８】
0003218808.tif 000010
【図９】
0003218808.tif 000011
【図１０】
0003218808.tif 000012
【図１１】
0003218808.tif 000013
【図１２】
0003218808.tif 000014
【図１３】
0003218808.tif 000015